(57)【要約】    【課題】テーブルの基部は自席の側部に固定し、しかも、テーブルの実質的な表面積を拡大することができ、パソコンを安定して使用できる、乗物内でのパソコン使用に対応した座席用テーブルおよび座席を提供する。    【解決手段】基部が自席の側部に固定され、テーブル部が引き出され使用者側に倒されて広げられる乗物内でのパソコン使用に対応した座席用テーブルにおいて、前記広げられるテーブル本体１１，１２の縁部にパッド１３，１４を配置し、これらのパッド１３，１４を引き出すことにより実質的にテーブル本体表面積を拡張することができる。【選択図】図３
2005263133.tif 000002
【特許請求の範囲】
【請求項１】
基部が自席の側部に固定され、テーブル部が引き出され使用者側に倒される乗物内でのパソコン使用に対応した座席用テーブルにおいて、
前記テーブル部本体の縁部にパッドを配置し、該パッドを引き出すことにより実質的にテーブル表面積を拡張可能にしてなることを特徴とする乗物内でのパソコン使用に対応した座席用テーブル。
【請求項２】
請求項１記載の乗物内でのパソコン使用に対応した座席用テーブルにおいて、前記テーブル部を前後に移動可能に調整するスライド機構を具備することを特徴とする乗物内でのパソコン使用に対応した座席用テーブル。
【請求項３】
請求項１又は２記載の乗物内でのパソコン使用に対応した座席用テーブルにおいて、前記テーブル部は棒状のヒンジを中心として見開き状に開いて、他方の肘掛けで支えることができる２枚のテーブル本体からなることを特徴とする乗物内でのパソコン使用に対応した座席用テーブル。
【請求項４】
請求項１、２又は３記載の乗物内でのパソコン使用に対応した座席用テーブルにおいて、前記パッドの表面の少なくとも一部には摩擦部材を有することを特徴とする乗物内でのパソコン使用に対応した座席用テーブル。
【請求項５】
請求項１〜４の何れか一項記載の乗物内でのパソコン使用に対応した座席用テーブルにおいて、テーブルの使用時において、前記パッドの上面の少なくとも一部の高さが前記テーブル本体の上面の高さより高くなるように構成したことを特徴とする乗物内でのパソコン使用に対応した座席用テーブル。
【請求項６】
請求項１〜５の何れか一項記載の乗物内でのパソコン使用に対応した座席用テーブルにおいて、前記パッドは棒状の複数本のスライダーを備えることを特徴とする乗物内でのパソコン使用に対応した座席用テーブル。
【請求項７】
請求項１、２又は３記載の乗物内でのパソコン使用に対応した座席用テーブルにおいて、前記座席用テーブルが自席の両側の肘掛け周りに支持されることを特徴とする乗物内でのパソコン使用に対応した座席用テーブル。
【請求項８】
請求項７記載の乗物内でのパソコン使用に対応した座席用テーブルにおいて、前記パッドの表面の少なくとも一部には摩擦部材を有することを特徴とする乗物内でのパソコン使用に対応した座席用テーブル。
【請求項９】
請求項７又は８記載の乗物内でのパソコン使用に対応した座席用テーブルにおいて、テーブルの使用時において、前記パッドの上面の少なくとも一部の高さが前記テーブル本体の上面の高さより高くなるように構成したことを特徴とする乗物内でのパソコン使用に対応した座席用テーブル。
【請求項１０】
請求項７〜９の何れか一項記載の乗物内でのパソコン使用に対応した座席用テーブルにおいて、前記パッドは棒状の複数本のスライダーを備えることを特徴とする乗物内でのパソコン使用に対応した座席用テーブル。
【請求項１１】
請求項１〜１０の何れか一項記載の乗物内でのパソコン使用に対応した座席用テーブルを有する座席において、前記座席の周りに電力供給用のコンセントを配置することを特徴とする乗物内でのパソコン使用に対応した座席用テーブルを有する座席。
【請求項１２】
請求項１１記載のパソコン使用に対応した座席用テーブルを有する座席において、前記コンセントに接続される電源を自席の座席の下部に配置することを特徴とする乗物内でのパソコン使用に対応した座席用テーブルを有する座席。
【発明の詳細な説明】
【技術分野】
【０００１】
本発明は、乗物内でのパソコン（パーソナルコンピュータ）使用に対応した座席用テーブルおよびそれを有する座席に関するものである。
【背景技術】
【０００２】
従来、新幹線や飛行機の座席には使用時以外は肘掛けに収納できるようにした座席用テーブルが見受けられる。
【０００３】
図６はかかる従来の座席用テーブル（その１）の模式図である。
【０００４】
まず、図６（ａ）に示すように、座席１００の肘掛け１０１内部に座席用テーブル１０２が折り畳まれて収納されている。そこで、折り畳まれた座席用テーブル１０２を図６（ｂ）に示すように肘掛け１０１の内部から引き上げて、図６（ｃ）に示すように使用者側に倒す。さらに、図６（ｄ）のようにその畳まれた座席用テーブル１０２を展開すると、広げられた座席用テーブル１０３を提供することができる。
【０００５】
また、前の座席の背もたれの裏側に収納されているテーブルを使用者側に倒して、座席用テーブルとして用いるようにしたものがある。
【０００６】
図７はかかる従来の座席用テーブル（その２）の模式図である。
【０００７】
ここでは、前の座席１１０の背もたれの裏側に収納されているテーブル本体１１１を使用者の方へ倒し、さらに、テーブル本体１１１の角部領域の内側に、コップ受け台１１２を引出し自在に収納するための収納部１１３を設けるようにした、コップ受け付き座席用テーブルが提案されている（下記特許文献１参照）。
【特許文献１】実開平５−１５８１号公報
【発明の開示】
【発明が解決しようとする課題】
【０００８】
しかしながら、上記したような、図６に示される座席用テーブル１０３ではその面積が狭く、パソコンを使用するには問題があった。また、使用者によってパソコン操作のしやすい位置は異なるため、前後位置が固定式であると使用し難いという問題があった。
【０００９】
また、図７に示される、前の座席１１０の背もたれの裏側に固定されるテーブル本体１１１は、前の座席１１０の使用者の動きにつれてテーブル本体１１１の位置も動く、あるいは振動するためにパソコンの使用には適していない。また、パソコンの使用には、位置が高すぎる、または遠すぎるという問題があった。
【００１０】
また、通常、かかる座席用テーブルはその面積が狭いため、パソコンを置くには不安定であり、使用者が腕を支えるなど安定した状態でのパソコンの使用ができないといった問題があった。
【００１１】
本発明は、上記状況に鑑みて、テーブルの基部は自席の側部に固定し、しかも、テーブルの実質的な表面積を拡大することができ、それにより腕をテーブルで支えることができ、かつ、前後位置を使用に合わせて調整でき、パソコンを安定して使用できる、乗物内でのパソコン使用に対応した座席用テーブルおよび座席を提供することを目的とする。
【課題を解決するための手段】
【００１２】
本発明は、上記目的を達成するために、
〔１〕乗物内でのパソコン使用に対応した座席用テーブルにおいて、基部が自席の側部に固定され、テーブル部が引き出され使用者側に倒される乗物内でのパソコン使用に対応した座席用テーブルにおいて、前記テーブル部の縁部にパッドを配置し、このパッドを引き出すことにより実質的にテーブル表面積を拡張可能にしてなることを特徴とする。
【００１３】
〔２〕上記〔１〕記載の乗物内でのパソコン使用に対応した座席用テーブルにおいて、前記テーブル部を前後に移動可能に調整するスライド機構を具備することを特徴とする。
【００１４】
〔３〕上記〔１〕又は〔２〕記載の乗物内でのパソコン使用に対応した座席用テーブルにおいて、前記テーブル部は棒状のヒンジを中心として見開き状に開いて、他方の肘掛けで支えることができる２枚のテーブル本体からなることを特徴とする。
【００１５】
〔４〕上記〔１〕、〔２〕又は〔３〕記載の乗物内でのパソコン使用に対応した座席用テーブルにおいて、前記パッドの表面の少なくとも一部には摩擦部材を有することを特徴とする。
【００１６】
〔５〕上記〔１〕〜〔４〕の何れか一項記載の乗物内でのパソコン使用に対応した座席用テーブルにおいて、テーブルの使用時において、前記パッドの上面の少なくとも一部の高さが前記テーブル本体の上面の高さより高くなるように構成したことを特徴とする。
【００１７】
〔６〕上記〔１〕〜〔５〕の何れか一項記載の乗物内でのパソコン使用に対応した座席用テーブルにおいて、前記パッドは棒状の複数本のスライダーを備えることを特徴とする。
【００１８】
〔７〕上記〔１〕、〔２〕又は〔３〕記載の乗物内でのパソコン使用に対応した座席用テーブルにおいて、前記座席用テーブルが自席の両側の肘掛け周りに支持されることを特徴とする。
【００１９】
〔８〕上記〔７〕記載の乗物内でのパソコン使用に対応した座席用テーブルにおいて、前記パッドの表面の少なくとも一部には摩擦部材を有することを特徴とする。
【００２０】
〔９〕上記〔７〕又は〔８〕記載の乗物内でのパソコン使用に対応した座席用テーブルにおいて、テーブルの使用時において、前記パッドの上面の少なくとも一部の高さが前記テーブル本体の上面の高さより高くなるように構成したことを特徴とする。
【００２１】
〔１０〕請求項７〜９の何れか一項記載の乗物内でのパソコン使用に対応した座席用テーブルにおいて、前記パッドは棒状の複数本のスライダーを備えることを特徴とする。
【００２２】
〔１１〕上記〔１〕〜〔１０〕の何れか一項記載の乗物内でのパソコン使用に対応した座席用テーブルを有する座席において、前記座席の周りに電力供給用のコンセントを配置することを特徴とする。
【００２３】
〔１２〕上記〔１１〕記載のパソコン使用に対応した座席用テーブルを有する座席において、前記コンセントに接続される電源を自席の座席の下部に配置することを特徴とする。
【発明の効果】
【００２４】
本発明によれば、安定な状態でパソコンの使用ができる乗物内でのパソコン使用に対応した座席用テーブルを提供することができる。
【００２５】
また、パッドの表面の少なくとも一部は摩擦部材とし、パッドの表面の全部もしくは一部の高さをテーブル本体の表面の高さより高くするようにした場合には、載置されるパソコンは前方を高くすることができるので、パソコンの操作が容易であり、かつパソコンのテーブルの前方からの落下を防止することができる。
【００２６】
更に、両側の肘掛け周りに支持される座席用テーブルの支持構造とする場合には、座席用テーブルにかかる荷重を按分してそれぞれのアームを介して各肘掛けで負担させるようにしたので、その分支持構造を堅牢にすることができる。
【００２７】
電源およびコンセントを自席回りに配置するように構成したので、パソコンのバッテリーが不足している場合でも、パソコン利用が可能である。
【００２８】
特に、特急以上の列車や飛行機のビジネスクラス、ファーストクラスの座席に設置することにより、パソコンの使用に便利である。
【発明を実施するための最良の形態】
【００２９】
基部が自席の側部に固定され、テーブル部が引き出され使用者側に倒されて広げられる乗物内でのパソコン使用に対応した座席用テーブルにおいて、前記広げられるテーブル本体の縁部に摩擦材を有するパッドを配置し、このパッドを引き出すことにより実質的にテーブル本体表面積を拡張可能にできる。
【実施例】
【００３０】
以下、本発明の実施の形態について詳細に説明する。
【００３１】
図１は本発明の実施例を示す座席用テーブルの概略セット状態を示す図であり、図１（ａ）はテーブル本体が収納されている状態を示す側面図、図１（ｂ）はテーブル本体が引き出された状態を示す側面図、図１（ｃ）はテーブル本体が半分だけ広げられた状態を示す側面図、図１（ｄ）はテーブル本体が全て広げられた見開き状態（パッドの拡張はない）を示す側面図である。
【００３２】
これらの図において、１は自席、２は座席のベース部、３は座面、４は背もたれ、５は肘掛け、６は座席用テーブルの基部、７は座席用テーブルのアーム、１０はテーブル本体を見開き状態に広げることができる棒状のヒンジ、１１，１２はテーブル本体、１３，１４はパッド、２１はテーブル本体１１，１２を支持する支持板、２３はコンセント、２４は電源である。なお、ここで、後述する図２（ａ）に示すように、パッド１３Ａ，１４Ａの隅にマジックテープ１３Ａと１４Ａとを設ける場合には、テーブル本体１１と１２は見開き状態に広げるまでは、互いに係合しあってテーブル本体１１と１２とを密に固定していることになり、棒状のヒンジ１０への負担を軽減することができる。
【００３３】
図１（ａ）のように、座席用テーブル本体１１，１２が自席１の肘掛け５周りに収納されているので、使用者はこれを矢印方向に引き出し、図１（ｂ）に示すように使用者側に倒し、更に図１（ｃ）に示すように棒状のヒンジ１０を中心にしてテーブル本体１２を開き、図１（ｄ）に示すように、見開き状態に広げることができるように構成している。このとき、見開き状態に広げたテーブル本体１２は、もう一方の肘掛け５′に支持されるため、テーブルに加わる荷重を安定して支えることができる。
【００３４】
さらに、本発明では、テーブル本体１１，１２の先端縁部に摩擦材を有するパッド１３，１４を配置し、後述のスライダーによってスライド可能にテーブル本体１１，１２に取り付けられている。これらのパッド１３，１４を引き出すことにより実質的にテーブルの表面積を拡張可能に構成している。
【００３５】
なお、図１においては、説明を分かり易くするために、テーブルが肘掛けの外部に配置されたものとして示しているが、テーブルは肘掛け内部に配置するようにしてもよいことは言うまでもない。その場合には、収納された状態でのテーブルの上部に指の係合部を形成しておき、テーブルを引出し易いようにすることができる。
【００３６】
図２は本発明の実施例を示す乗物内でのパソコン使用に対応した座席用テーブルの模式図であり、図２（ａ）はその拡張前の座席用テーブルの上面図、図２（ｂ）は図２（ａ）の座席用テーブルの裏面図、図３はその座席用テーブルのパッドを引き出して拡張した状態を示す座席用テーブルの模式図であり、図３（ａ）はその拡張された状態の座席用テーブルの上面図、図３（ｂ）はその拡張された状態の座席用テーブルの裏面図である。
【００３７】
図２（ａ）にはテーブル本体１１，１２を棒状ヒンジ１０により見開き状態に広げた状態が示されており、そのテーブル本体１１，１２それぞれの縁部に摩擦材を有するパッド１３，１４が配置されている。そのテーブル本体１１，１２の裏面には、図２（ｂ）に示すように、アーム７に固定される支持板２１がテーブル本体１１に固定されている。その支持板２１は調整溝を有しており、固定調整部材２２の適当な位置に固定することにより、テーブル部をパソコン操作を行うのに適切な位置に調整することができる。また、テーブル本体１１，１２の裏面には、パッド１３に固定されるスライダー１５とパッド１４に固定されるスライダー１６とがそれぞれ配置されている。ここでは、スライダー１５と１６にはそれぞれスライド溝１７，１８が形成されており、テーブル本体１１，１２の裏面に固定されているピン１９，２０に係止されるように構成されている。
【００３８】
図２の状態では、テーブル本体１１，１２の縁部に摩擦材を有するパッド１３，１４が配置されている。そこで、パソコンを載置する際に奥行きを拡張したい場合には、パッド１３，１４を図３のように奥行方向にスライドさせる。パッド１３，１４はスライダー１５，１６を介してテーブル本体１１，１２に固定されており、このスライダー１５，１６が、テーブル本体１１，１２の裏面に固定されているピン１９，２０とスライド溝１７，１８とにガイドされて、スライドすることによってパッド１３，１４が奥行方向に引き出され、図３に示すようにテーブル本体１１，１２の表面積が実質的に拡張される。
【００３９】
因みに、テーブル本体１１，１２の奥行きは例えば２５ｃｍ、パッド１３，１４の拡張長さは、１０〜１８ｃｍであり、拡張された場合の実質的なテーブル上面の奥行きは最大限で４３ｃｍを確保することができる。
【００４０】
また、パッド１３，１４は少なくとも表面に摩擦係数の高い摩擦部材を設けることが望ましい。このように構成することにより、載置されたパソコンがテーブル表面から滑り落ちることを防止することができる。
【００４１】
さらに、テーブルの使用時において、前記パッドの上面の全部もしくは一部の高さが前記テーブル本体の上面の高さより若干高くなるように構成することもできる。その場合には、載置されるパソコンは前方を高くすることができるので、パソコンの操作が容易であり、かつパソコンのテーブルの前方からの落下を防止することができる。
【００４２】
上記実施例では、片側の肘掛けから引き出される座席用テーブルについて説明したが、以下の実施例では、両側の肘掛けから座席用テーブルの半分ずつを引出し、倒して広げるように構成する。その際には、双方の座席用テーブルを互いにロック（例えば、フック）するとテーブル部の強度を高めることができる。
【００４３】
図４は本発明の他の実施例を示す、座席用テーブルが両方の肘掛けを支持部としてテーブル本体が半分ずつ引き出され、倒されて広げられるようにした状態を示す平面図、図５は本発明の他の実施例を示す、座席用テーブルが両方の肘掛けを支持部としてテーブル本体が半分ずつ引き出され、倒されて広げられ、さらにパッドが引き出され座席用テーブルの表面積が拡張された状態を示す平面図である。ここでは図示しないが、テーブル本体が肘掛け周りに収納されている状態から、これを引出し、自席側に倒すところまでは、図１（ａ）から図１（ｃ）までの構成と同様であるが、本実施例ではテーブル本体が折り畳まれた構造をしておらず、その代わりに左右両方の肘掛け周りにテーブル本体が収納されており、その双方を引き出して使用する。
【００４４】
これらの図において、３１，３２はテーブル本体、３３，３４はパッド、３５，３６はスライダー、３７，３８はスライド溝、３９，４０はピン、４１，４２は支持板、４３，４４は固定調整部材、４５，４６は座席用テーブルのアームである。
【００４５】
そこで、図４（ａ）には自席の肘掛けの両側からそれぞれテーブル本体３１，３２を広げた状態が示されており、そのテーブル本体３１，３２それぞれの縁部に摩擦材を有するパッド３３，３４が配置されている。そのテーブル本体３１，３２の裏面には、図４（ｂ）に示すように、アーム４５に固定される支持板４１がテーブル本体３１に、アーム４６に固定される支持板４２がテーブル本体３２にそれぞれ固定されている。その支持板４１，４２は調整溝を有する固定調整部材４３，４４の適当な位置に固定することができる。また、テーブル本体３１，３２の裏面には、パッド３３に固定されるスライダー３５とパッド３４に固定されるスライダー３６とがそれぞれ配置されている。ここでは、スライダー３５と３６にはそれぞれスライド溝３７，３８が形成されており、テーブル本体３１，３２の裏面に固定されているピン３９，４０に係止されるように構成されている。
【００４６】
図４の状態では、テーブル本体３１，３２の縁部に摩擦材を有するパッド３３，３４が配置されている。そこで、パソコンを載置する際に奥行きを拡張したい場合には、パッド３３，３４を奥行方向にスライドさせる。パッド３３，３４はスライダー３５，３６を介してテーブル本体３１，３２に固定されており、このスライダー３５，３６が、テーブル本体３１，３２の裏面に固定されているピン３９，４０とスライド溝３７，３８とにガイドされて、スライドすることによってパッド３３，３４が奥行方向に引き出され、図５に示すようにテーブル本体３１，３２の表面積が実質的に拡張される。
【００４７】
また、パッド３３，３４は少なくとも表面に摩擦係数の高い摩擦部材を設けることが望ましい。このように構成することにより、載置されたパソコンがテーブル表面から滑り落ちることを防止することができる。
【００４８】
この実施例の両側の肘掛け周りに支持される座席用テーブルの支持構造では、座席用テーブルにかかる荷重の按分（例えば、１／２）をそれぞれのアームを介して各肘掛けで負担させるようにしたので、その分支持構造を堅牢にすることができる。
【００４９】
また、広げられた状態のテーブル本体３１と３２との間隔を座席用テーブルに載置するパソコンの荷重に対応させて設計することができる、つまり、各テーブル本体の面積は適宜設計することができる。
【００５０】
また、テーブルの使用目的によっては、テーブル本体３１又は３２のいずれか一方のみを使用することができることは言うまでもない。
【００５１】
更に、本発明によれば、以下のような構成及び利点を有する。
【００５２】
（１）座席用テーブルは自席にアームを介して固定するようにしたので、前の座席の振動やシートリクライニングに干渉されることがない。
【００５３】
（２）未使用時には座席テーブルを収納することができる。
【００５４】
（３）座席用テーブルは見開き式とし、開いたときは、テーブル端が自席の一方又は両方の肘掛部分により支えられる構造であり、コンパクトに構成されている。
【００５５】
（４）座席用テーブルは左右から倒して開いたときには、テーブル左右両端が自席の肘掛部分により支えられる構造であり、堅牢に支持することができる。
【００５６】
（５）パッドを前後１０〜１８ｃｍの範囲でパソコン作業に適した位置にスライド調節することが可能である。
【００５７】
（６）パッドの位置を調整してテーブル表面積を拡張することにより、テーブルの手前部分のスペースをフリースペースとして確保することができるため、腕の荷重を支えることができ、使用者の姿勢の安定性が高まる。
【００５８】
（７）このテーブル手前部分のスペースをマウス操作用スペースとしても用いることができる。
【００５９】
（８）テーブルを拡張した際のスライダーの隙間に物が落ちることを防止するため、座席側面等にテーブルカバーを用意して、テーブル拡張の際、上に乗せて使用できるようにすることができる。
【００６０】
このとき、テーブルカバーの片面は、パソコン作業用としてゴム状の滑り難い素材、もう片面は書き物に適した固い平滑な素材とし、使用目的に応じて乗客が使い分けられるようにすることが望ましい。
【００６１】
（９）テーブルを畳んだ状態で使用する場合も、飲み物を置くなど、パソコン以外の目的での使用が可能な強度と形状である。
【００６２】
（１０）パソコン用の電源は座席の周りが望ましいが、壁面などに内蔵させるようにしてもよい。
【００６３】
（１１）電源はパソコン利用に対応するため、瞬間的な停電の影響を受けないよう、無停電電源とするのが望ましい。
【００６４】
（１２）テーブル側面に引き出せる小テーブルを設けてマウス操作用スペースとして使用することもできる。小テーブル表面部分の材質をマウスパッドに用いられる材質で構成しておけば、より好ましい。
【００６５】
なお、本発明は上記実施例に限定されるものではなく、本発明の趣旨に基づき種々の変形が可能であり、これらを本発明の範囲から排除するものではない。
【産業上の利用可能性】
【００６６】
本発明の乗物内でのパソコン使用に対応した座席用テーブルは、長距離出張等で長時間乗物に乗車するような場合のパソコンの利用が可能な座席用テーブルとして好適である。
【図面の簡単な説明】
【００６７】
【図１】本発明の実施例を示す座席用テーブルの概略セット状態を示す図である。
【図２】本発明の実施例を示す乗物内でのパソコン使用に対応した座席用テーブルの模式図である。
【図３】本発明の実施例を示す座席用テーブルのパッドを前方に引き出し拡張した状態を示す座席用テーブルの模式図である。
【図４】本発明の他の実施例を示す座席用テーブルが両方の肘掛けを支持部としてテーブル本体が半分ずつ引き出され、倒されて広げられるようにした状態を示す平面図である。
【図５】本発明の他の実施例を示す座席用テーブルが両方の肘掛けを支持部としてテーブル本体が半分ずつ引き出され、倒されて広げられ、さらにパッドが引き出され座席用テーブルの表面積が拡張された状態を示す平面図である。
【図６】従来の座席用テーブル（その１）の模式図である。
【図７】従来の座席用テーブル（その２）の模式図である。
【符号の説明】
【００６８】
１    自席
２    座席のベース部
３    座面
４    背もたれ
５，５′    肘掛け
６    座席用テーブルの基部
７，４５，４６    座席用テーブルのアーム
１０    棒状ヒンジ
１１，１２，３１，３２    テーブル本体
１３，１４，３３，３４    パッド
１３Ａ，１３Ｂ    マジックテープ
１５，１６，３５，３６    スライダー
１７，１８，３７，３８    スライド溝
１９，２０，３９，４０    ピン
２１，４１，４２    支持板
２２，４３，４４    固定調整部材
２３    コンセント
２４    電源
【図１】
2005263133.tif 000003
【図２】
2005263133.tif 000004
【図３】
2005263133.tif 000005
【図４】
2005263133.tif 000006
【図５】
2005263133.tif 000007
【図６】
2005263133.tif 000008
【図７】
2005263133.tif 000009